(57)【特許請求の範囲】
【請求項１】
プリントすべき画像を指定する情報を有するプリント指定情報に基づいて、複数の画像をプリンタに出力するデジタルカメラであって、
プリント指定情報を入力する入力手段と、
前記プリント指定情報に基づいて画像のプリントを行うために、複数の画像をプリンタに連続的に出力する出力手段と、
前記プリント指定情報に基づくプリントが中断した場合に、中断情報をメモリに記録する記録手段と、
前記中断情報に基づいて、前記プリント指定情報に基づくプリントを再開する制御手段とを有し、
前記制御手段は、前記中断の前後で前記プリント指定情報が変化している場合には、前記中断情報に基づくプリントの再開は行わないことを特徴とするデジタルカメラ。
【請求項２】
前記記録手段は、１枚の画像のプリントが終了する毎に前記中断情報を更新して記録することを特徴とする請求項１に記載のデジタルカメラ。
【請求項３】
さらに、前記プリント指定情報が記録された記録媒体を装着する装着手段を有し、
前記制御手段は、前記中断の前後で前記装着手段に異なる記録媒体が装着されている場合は、前記中断情報に基づくプリントの再開は行わないことを特徴とする請求項１に記載のデジタルカメラ。
【請求項４】
１枚の画像のプリントが終了したときに、プリントの中断指示が発行されたかを検出する検出手段を有し、中断指示の検出応じてプリントを中断することを特徴とする請求項１に記載のデジタルカメラ。
【請求項５】
前記制御手段は、前記中断の後に前記プリント指定情報で指定される画像が削除されている場合は、前記中断情報に基づくプリントの再開は行わないことを特徴とする請求項１に記載のデジタルカメラ。
【請求項６】
プリントすべき画像を指定する情報を有するプリント指定情報に基づいて、複数の画像を出力するプリント制御方法であって、
プリント指定情報を入力する入力工程と、
前記プリント指定情報に基づいて画像のプリントを行うために、複数の画像を連続的に出力する出力工程と、
前記プリント指定情報に基づくプリントが中断した場合に、中断情報をメモリに記録する記録工程と、
前記中断情報に基づいて、前記プリント指定情報に基づくプリントを再開する制御工程とを有し、
前記制御工程は、前記中断の前後で前記プリント指定情報が変化している場合には、前記中断情報に基づくプリントの再開は行わないことを特徴とするプリント方法。
【請求項７】
前記記録工程は、１枚の画像のプリントが終了する毎に前記中断情報を更新して記録することを特徴とする請求項６に記載のプリント方法。
【請求項８】
１枚の画像のプリントが終了したときに、プリントの中断指示が発行されたかを検出する検出工程を有することを特徴とする請求項６に記載のプリント方法。
【請求項９】
前記制御手段は、前記中断の後に前記プリント指定情報で指定される画像が削除されている場合は、前記中断情報に基づくプリントの再開は行わないことを特徴とする請求項６に記載のプリント方法。
【請求項１０】
プリントすべき画像を指定する情報を有するプリント指定情報に基づいて、複数の画像をプリンタに出力するデジタルカメラであって、
プリント指定情報を入力する入力手段と、
前記プリント指定情報に基づいて画像のプリントを行うために、複数の画像をプリンタに連続的に出力する出力手段と、
前記プリント指定情報に基づくプリントが中断した場合に、中断情報をメモリに記録する記録手段と、
前記中断情報に基づいて、前記プリント指定情報に基づくプリントを再開する制御手段と、
前記中断の前後で、前記プリント指定情報が記録された記録媒体が変化しているかを判断する判断手段とを有し、
前記制御手段は、前記記録媒体が変化している場合には、前記中断情報に基づくプリントの再開は行わないことを特徴とするデジタルカメラ。
【請求項１１】
前記記録手段は、１枚の画像のプリントが終了する毎に前記中断情報を更新して記録することを特徴とする請求項１０に記載のデジタルカメラ。
【請求項１２】
１枚の画像のプリントが終了したときに、プリントの中断指示が発行されたかを検出する検出手段を有し、中断指示の検出応じてプリントを中断することを特徴とする請求項１０に記載のデジタルカメラ。
【請求項１３】
プリントすべき画像を指定する情報を有するプリント指定情報に基づいて、複数の画像を出力するプリント方法あって、
プリント指定情報を入力する入力工程と、
前記プリント指定情報に基づいて画像のプリントを行うために、複数の画像を連続的に出力する出力工程と、
前記プリント指定情報に基づくプリントが中断した場合に、中断情報をメモリに記録する記録工程と、
前記中断情報に基づいて、前記プリント指定情報に基づくプリントを再開する制御工程と、
前記中断の前後で、前記プリント指定情報が記録された記録媒体が変化しているかを判断する判断工程とを有し、
前記制御工程では、前記記録媒体が変化している場合には、前記中断情報に基づくプリントの再開は行わないことを特徴とするプリント方法。
【請求項１４】
前記記録工程は、１枚の画像のプリントが終了する毎に前記中断情報を更新して記録することを特徴とする請求項１３に記載のプリント方法。
【請求項１５】
１枚の画像のプリントが終了したときに、プリントの中断指示が発行されたかを検出する検出工程をすることを特徴とする請求項１３に記載のプリント方法。
【発明の詳細な説明】
【０００１】
【発明の属する技術分野】
本発明はプリントシステムに関し、より具体的には電子スチルカメラやビデオカメラなどによって撮像された電子情報を、コンピュータを介してプリンタで出力したり、記録媒体や通信手段を介してプリント出力したりするのに好適なプリントシステムに関するものである。
【０００２】
【従来の技術】
従来から印画用紙に感熱型の用紙を用い、主走査方向に配列された複数個の発熱体を選択的に駆動して、用紙を副走査方向に搬送することで、用紙にドットライン状に印画を行うライン熱転写方式のプリンターがある。
【０００３】
近年、入力側としてのデジタルカメラやデジタルビデオカメラ、またはスキャナなどの画像を扱う入力機器の進歩に伴い、プリント手段として、熱転写方式のプリンター装置も注目されている。それはインクジェットプリンターが、液滴を飛ばすか飛ばさないか、という２値の選択しかないために、小さな液滴を用紙へ着弾させて、誤差拡散等の手法でみかけの解像度と階調性を得ようとするのに対して、熱転写方式のプリンターの場合には、一つの画素において、制御可能な熱の値を容易に変更できるため、一つの画素に対する階調性が多く取る事が可能になるので、インクジェットプリンターに比べて滑らかで高画質な画像を得ることができるという点が上げられる。またサーマルヘッドの性能や用紙材料の性能も向上したために、仕上がり品位で銀塩写真にも見劣りしない画像プリントを得る事が可能になっており、近年のデジタルカメラの進歩に歩調を合わせるように特に自然画像用のプリンターとして注目されている。
【０００４】
そこでこうしたプリンター装置とデジタルカメラやデジタルビデオカメラなどの撮影機器を直接的に接続したり、または一体的に構成して、撮影された画像情報をコンピューターなどの画像情報を処理する機器を介すことなくプリントするシステムも登場している。こうしたシステムによれば、デジタルカメラやデジタルビデオからの画像情報を簡単に写真的なプリントアウトを行うことが可能になり、大変便利である。
【０００５】
これらの一例として、たとえば、特開平１０−２４３３２７号公報では画像入力装置と画像出力装置の接続にについて述べられている。これによれば、画像出力装置と画像入力装置とを接続してなる画像入出力システムであって、前記画像出力装置は、前記画像入力装置からの画像信号を受信して出力すると共に、前記画像入力装置に電力を供給する電源部を有し、前記画像出力装置は、前記画像出力装置に画像データを送信し、かつ前記画像出力装置から電源電力の供給を受けるための接続ケーブルにより前記画像出力装置と接続され、前記画像出力装置から電力供給を受けることの可否を判定する判定手段と、電源部とを有し、前記判定手段により、前記画像出力装置から電力供給を受けられると判定された場合は、前記画像出力装置からの電力を用い、電力供給を受けられないと判定された場合は、前記電源部からの電力を用いるというものである。これによれば画像出力装置から電力の供給が受けられるのでデジタルカメラなどの画像入力装置の電源の残量を気にすることなくプリント出力できるものである。
【０００６】
また特開平９−６５１８２号公報の複合カメラでは、プリント時の電力省電について述べている。これによれば電子ビューファインダを有し且つ映像情報を記録媒体へ記録する撮影手段と、映像情報を記録紙へプリント出力するプリンタ手段とを一体化した複合カメラであって、上記プリンタ手段が記録紙へ映像情報をプリント出力している間は、上記電子ビューファインダへ電力を供給するのを停止するよう制御する制御手段を設けたものである。これによればプリント中は電子ビューファインダーへの電力供給をしないので節電に役立つというものである。
【０００７】
また、デジタルカメラとプリンタ装置を直接接続し、デジタルカメラで撮影した画像情報をプリントする場合、デジタルカメラ側もプリンタ側もＡＣアダプタ等の電源を必要としていたが、近年の半導体の進歩で消費電力も少なくなりバッテリで動作可能となり、モバイル機器として屋外で使用する事も出来るようになってきている。
【０００８】
さらに、デジタルカメラ側であらかじめ、どの画像を何枚プリントするか、どのようにプリントするかなどの情報をあらかじめ設定しておいて、一旦プリントを開始すると、設定した複数種類の画像のプリントを自動的に行うことも出来るようになっている。
【０００９】
【発明が解決しようとする課題】
しかし、モバイル機器として使用する場合や、特に、印刷枚数が多い場合は印刷途中でバッテリが切れてしまい、印刷が中断されてしまう場合が起こっている。また、用紙切れなどの原因により、あらかじめ設定しておいたプリント設定が完結せずに、途中で中断してしまうことも考えられる。このような場合に、印刷を再開する場合、最初から印刷し直すか、或いは、カャ奄ナ選択をし直すといった不具合があった。
【００１０】
また、連続印刷を中断してしまった場合に全く最初からやり直していたのではペーパーやインクの無駄が発生し、かつプリントにかかる時間も無駄になる。また、印刷していない画像だけを再度選び出して、改めてプリント指定をし直すのも手間がかかる上、画像の選択ミスや枚数の指定ミスなどが発生する余地を残してしまい、ペーパーやインクおよび時間を無駄にしてしまうこともありうる。プリント枚数が大量になれば上記課題はさらに大きなものとなり、使用者にとって使い勝手の良いプリントシステムが提供できていないという問題点があった。
【００１１】
本発明は以上の様な問題点を考慮してなされたものであり、上記の課題の全て、もしくは少なくとも一つを解決することを目的とする。また、本発明の目的は、プリント設定情報に従ったプリントが途中で中断してしまった場合に、簡単にプリント再開できるようにすることを目的とする。更に、本発明の目的は、中断したことによる時間や消耗品の無駄を減少させることを目的とする。さらには、デジタルカメラとプリンタとを接続または一体的に構成したプリントシステムに好適で、複数枚の画像の印刷を確実に提供する事を目的とするものである。
【００１２】
【課題を解決するための手段】
上記の課題を解決するため、本発明のデジタルカメラは以下の構成を備える。
すなわち、
プリントすべき画像を指定する情報を有するプリント指定情報に基づいて、複数の画像をプリンタに出力するデジタルカメラであって、プリント指定情報を入力する入力手段と、プリント指定情報に基づいて画像のプリントを行うために、複数の画像をプリンタに連続的に出力する出力手段と、プリント指定情報に基づくプリントが中断した場合に、中断情報をメモリに記録する記録手段と、中断情報に基づいて、プリント指定情報基づくプリントを再開する制御手段とを有し、制御手段は、中断の前後でプリント指定情報が変化している場合には、中断情報に基づくプリントの再開は行わないことを特徴とする。
また、上記の課題を解決するため、本発明のデジタルカメラは以下の構成を備える。すなわち、
プリントすべき画像を指定する情報を有するプリント指定情報に基づいて、複数の画像をプリンタに出力するデジタルカメラであって、プリント指定情報を入力する入力手段と、
プリント指定情報に基づいて画像のプリントを行うために、複数の画像をプリンタに連続的に出力する出力手段と、プリント指定情報に基づくプリントが中断した場合に、中断情報をメモリに記録する記録手段と、中断情報に基づいて、プリント指定情報に基づくプリントを再開する制御手段と、中断の前後で、プリント指定情報が記録された記録媒体が変化しているかを判断する判断手段とを有し、制御手段は、記録媒体が変化している場合には、中断情報に基づくプリントの再開は行わないことを特徴とする。
【００１３】
また、上記の課題を解決するため、本発明のプリント方法は以下の工程を備える。すなわち、
プリントすべき画像を指定する情報を有するプリント指定情報に基づいて、複数の画像を出力するプリント制御方法であって、プリント指定情報を入力する入力工程と、プリント指定情報に基づいて画像のプリントを行うために、複数の画像を連続的に出力する出力工程と、プリント指定情報に基づくプリントが中断した場合に、中断情報をメモリに記録する記録工程と、中断情報に基づいて、プリント指定情報基づくプリントを再開する制御工程とを有し、制御工程は、中断の前後でプリント指定情報が変化している場合には、中断情報に基づくプリントの再開は行わないことを特徴とする。
また、上記の課題を解決するため、本発明のプリント方法は以下の工程を備える。すなわち、
プリントすべき画像を指定する情報を有するプリント指定情報に基づいて、複数の画像を出力するプリント方法あって、プリント指定情報を入力する入力工程と、プリント指定情報に基づいて画像のプリントを行うために、複数の画像を連続的に出力する出力工程と、プリント指定情報に基づくプリントが中断した場合に、中断情報をメモリに記録する記録工程と、中断情報に基づいて、プリント指定情報に基づくプリントを再開する制御工程と、中断の前後で、プリント指定情報が記録された記録媒体が変化しているかを判断する判断工程とを有し、制御工程では、記録媒体が変化している場合には、中断情報に基づくプリントの再開は行わないことを特徴とする。
【００１５】
【発明の実施の形態】
＜第一の実施例＞
図１から図７に示す図を用いて本実施例の基本的システム構成ついて説明する。本プリントシステムは、プリンタ部に昇華型の熱転写記録方式を採用し、電子的な画像の情報を任意なプリント枚数分プリントアウトすることが出来るものである。このプリントシステムについて手順に従って説明する。
【００１６】
本発明に係わる通常の熱転写記録装置の一実施形態について、以下、図面を参照して具体的に説明する。
【００１７】
図１は実施形態に係わる記録装置の側面の構成模式図である。まず、記録装置の全体構成について説明すると、装置本体１に記録紙Ｐを積載した用紙カセット２から給紙ローラ３で一枚ずつ分離給送する。この際記録紙Ｐはバネ２０によって付勢された押上げ板２１によって給紙ローラ３に当接している。そして、給紙ローラ３によって搬送された記録紙Ｐは搬送ローラ対４で挟持搬送されて記録部を往復可能にしている。搬送ローラ対４はピンチローラ４２とグリップローラ４１で構成されている。
【００１８】
記録部においては記録紙搬送経路を挟んでプラテンローラ５と記録情報に応じて発熱するサーマルヘッド６が対向しており、インクカセット７に収納される、熱溶融性または熱昇華性インクを塗布したインク層と印画面を保護するために印画面上にオーバーコートされるオーバーコート層とをもつインクシート８をサーマルヘッド６によって記録紙Ｐに押圧するとともに、選択的に加熱することにより、該記録紙Ｐに所定画像を転写記録し、保護層をオーバーコートする。
【００１９】
上記インクシートは、記録紙Ｐの印画領域を覆ってそのサイズと略等しいサイズでイエロー（Ｙ）、マゼンタ（Ｍ）、シアン（Ｃ）の各インク層とオーバーコート（ＯＰ）層が並べて設けられたものであり、各層ずつ熱転写しては、記録紙Ｐを記録開始位置Ｐ１に戻し、記録紙上に、順次重ねて転写される。このように、記録紙Ｐは搬送ローラ対４により、各色インク及びオーバーコート層の数だけ往復される。
【００２０】
この際、各インク層の印画後の記録紙Ｐは装置本体１前方で反転され、用紙カセット前方部及び下部のガイド部を介して装置本体１の後方へ導紙される。装置前方で反転されるために印画途中の記録紙Ｐが外部に出ることによるスペースの無駄や意図せずに触ってしまったという様なことが無く、設置場所の省スペース化などを可能にしている。
【００２１】
しかも用紙カセット２の下部を紙ガイドとして直接利用していることによって装置本体１の厚さを薄くすることが可能になっていると共に、記録紙Ｐをインクカセット７と用紙カセット２にはさまれた空間を通すことで装置本体１の全高を最小限にとどめることが可能であり小型化を可能にしている。
【００２２】
２５は用紙カセット２の用紙搬送ガイド部である。装置本体１前方から反転されてきた記録紙Ｐを装置本体後方に反転させるガイド部であり、この用紙カセット２に具備することで装置本体１全体の小型化に大きく寄与している。
【００２３】
また２６は用紙カセット２の上面は印画されて排紙された記録紙Ｐのトレイ部分を兼用しており、これも装置本体１の小型化に寄与している。各インク層の印画終了後に記録紙Ｐは排出ローラ１（９−１）、排出ローラ２（９−２）へ案内され装置本体１後方から前方に向かって排出され記録動作が終了する。排出ローラ１は記録紙Ｐの排出動作時のみ圧接する様に構成され、印画中にはストレスがかからないように構成されている。なお装置本体１には記録紙Ｐのガイド部１５が構成されていて、記録紙Ｐを導紙している。
【００２４】
１６は搬送路切り替えシートであり、記録紙Ｐが給紙された後は記録紙Ｐは排出側の経路に導紙されるようになっている。
【００２５】
また印画用のサーマルヘッド６はヘッドアーム２２に一体的に具備されており、インクカセット７を交換する場合にはインクカセット７の抜き差しに支障ない位置まで退避する。この退避動作はインクカセット７の交換は用紙カセット２を引き抜くと可能になり、この際用紙カセット２の着脱動作に連動してヘッドアーム２２はカム部２２−１によって押さえられている状態から用紙カセット２のカム部２−１が退避していくことで上下する様に構成されている。
【００２６】
通常の熱転写記録装置ではＹＭＣ３色を３回面順次で記録する為、各色の記録先端を正確に合致させる制御が必要となる。このためには、図１に示す搬送ローラ対４で記録紙Ｐを離さずしっかり挟持し搬送を行う必要がある。この為、記録紙Ｐの送り方向の端部には記録不可能な余白部が必要となる。これを鑑み、最終的に、容易に、縁のない印画物を得るために、第３図に示す様に、記録紙Ｐには、記録開始時搬送ローラ対４でしっかり挟持され記録できない余白部分を後で容易に手で切取り可能な様にミシン目１２が設けられる。
【００２７】
本発明は、上記説明したミシン目をもつ記録紙Ｐと熱転写記録装置をもちいて実施され、上記の記録紙に設けられたミシン目領域にはオーバーコートするものとする。
【００２８】
また左下がり斜線で示す領域は印画の領域であり、ミシン目を含む領域を印画する様に制御される。オーバーコートは略印画される領域であり且つ印画される領域よりやや大きく印画される領域を含むように印画する様に制御される。
【００２９】
更に以下に装置に関わる詳しい説明をする。
【００３０】
図１に示す、記録装置１において、搬送ローラ対４は、ピンチローラ４２とグリップローラ４１からなり、このグリップローラ４１は、図示しないステッピングモータの出力軸が減速機構を介してして直結され、このステッピングモータの回転制御により、正逆自在に駆動される。記録紙Ｐは、搬送ローラ対４によりしっかりと挟持され、往復搬送されるもであるから、記録紙Ｐもまた、ステッピングモータの回転制御により、正確に位置制御され、搬送駆動される。いま、一例としてサーマルヘッド６による１ライン分の記録ピッチを８５μｍとし、記録紙Ｐを１ライン分搬送するためのステッピングモータのステップ数を４ステップとするならば、記録紙Ｐは、ステッピングモータを４ステップで回転制御することにより、１ライン（すなわち８５μｍ）搬送することができる。図４に示した、印画範囲は、搬送方向において１４４ｍｍであるとすると、１６９４ライン印画可能であり、記録紙をこの分搬送するためには、ステッピングモータを６７７６ステップ分回転させればよい。
【００３１】
図１に示す、記録装置１において、給紙ローラ３から給紙ローラ対４を見て、給紙ローラ対４の近傍の位置に、記録紙先端検出センサー１０が置かれ、これにより記録紙の先端を検出し、検出後、搬送ローラ対４で挟持できる範囲で所定ラインを送り停止させる。この位置が前述の記録開始時の位置となる。ここからまず最初のＹイエローからサーマルヘッドを記録情報に応じて発熱駆動し、各色インクの所定画像を記録し、またはオーバーコート層を転写する。１色が終わると次にこの位置から記録紙を排紙ローラ９のある方向に戻して搬送し、再び所定のライン数を戻し送り、ＹＭＣ各色及びオーバーコート層転写を４回繰返す。
【００３２】
図１に示す記録装置１において、記録紙先端検出センサー１０と、プラテンローラ５とサーマルヘッド６により記録紙Ｐを押圧する位置の距離は、装置内部品配置を考慮し、記録紙上の距離で２０ｍｍに設定したがこれに限られるものでは無い。この時、図３に示す印画物は、下記の様に各色インクを転写記録し、またオーバーコート層を転写することにより得られる。
【００３３】
図２のフローチャートにおいて色インク転写及びオーバーコートシーケンスを説明する。
Ｓ１：使用者は不図示のプリントボタンもしくはデジタルカメラやデジタルビデオカメラからの印画指示などによってプリント動作を指示する。
Ｓ２：装置本体１内部の処理回路１８はプリント指示を実行した機器との通信を開始し、処理回路１８ではプリント指示を実行した機器との間でプリントに必要な諸条件の確認を行い。必要であれば画像情報の印画情報への画像処理を行う。
Ｓ３：印画準備が出来たら処理回路１８は給紙ローラ３に連結されたモータを駆動して記録紙Ｐを給紙開始する。
Ｓ４：記録紙先端検出後、ステッピングモータを所定ステップ分回転させ、印画を開始する。このとき、印画開始位置は、記録紙先端を基準として、１２．４６５ｍｍとした。
Ｓ５：引き続き、ステッピングモータを４ステップ分回転しながら、サーマルヘッドを発熱駆動し１ライン分の印画を行う。全部で６７７６ステップ分（１６９４ライン分）回転させ、印画を終了する。この時の印画終了位置は、記録紙先端を基準として、１５６．４５５ｍｍとなる。
Ｓ６：ついで、停止にいたるまでの減速のため、ステッピングモータを１０ライン分（４０ステップ分）程回転させ、停止させる。
Ｓ７：この状態から、ステッピングモータを逆転駆動し、記録紙Ｐを印画時と逆方向に搬送し、所定のステップ数（６７７６ステップ−減速分）だけ戻して、更に減速のため、所定のライン数の１０ライン分（４０ステップ分）程回転させ、停止させる。
Ｓ８：上記をＹＭＣ３色分、３回程繰返し、所望の印画像を記録紙Ｐに転写記録する。
Ｓ９：その後、そして、更に一回印画面保護の為のオーバーコート層を転写する。
Ｓ１０：その後ステッピングモータを逆転駆動してそのまま排出ローラー３へ導き、排出ローラー３の駆動で用紙を排出して一連の動作を終了させる。
【００３４】
また、上記において、制御手段１９は記録紙Ｐの給紙時に、最初に記録紙先端検出センサ１０で検知した記録紙の先端検出信号をもとに、ステッピングモータのステップ数と記録紙Ｐの搬送時における位置関係をもとに、ステッピングモータの回転駆動のステップ数を、全印画記録時において管理することにより、記録位置管理を行うとしたが、これにかぎらす、各ＹＭＣ色及びオーバーコート層の転写記録時において、記録紙先端部に検出センサーを設けて記録紙の先端検出を行い、その信号を基準として、ステッピングモータの回転駆動のステップ数を管理することにより、記録位置管理を行う構成としても良い。
【００３５】
また、上記において、オーバーコート層の転写は、サーマルヘッドの発熱駆動のＯＮ／ＯＦＦのみで行う様に記述したが、オーバーコートの転写開始時では、徐々に発熱量を増加させ、また、オーバーコートの転写終了時には、徐々に発熱量を減少させることにより得る様な制御を加える事も可能である。
【００３６】
ここで前述のＳ１のプリント指示を実行する機器と、該プリンター装置の通信について更に詳述する。
【００３７】
一例として、今プリント指示を実行するのはデジタルカメラＤＣとして説明する。図４はデジタルカメラＤＣとプリンタ装置本体１を接続してある模式図である。デジタルカメラＤＣは撮影後に該デジタルカメラＤＣ内部のメモリに画像情報が保持されているものとする。メモリはコンパクトフラッシュカードやスマートメデイアといった着脱自由なものが便利である。当然ではあるが、メモリの種類はこれら以外でも良い。デジタルカメラＤＣを再生モードに設定して、今任意の画像を再生させているものとする。画像情報の再生はデジタルカメラＤＣの具備する液晶表示装置によって随時確認できるので使用者は撮影された好きな画像情報を任意に呼び出すことが可能である。ここでケーブル２７や無線手段によってプリンタ装置本体１と通信可能な状態であると、所定のプリント実行ボタン（不図示）によってデジタルカメラＤＣからプリンタ装置へ必要な情報が通信され、プリンタ装置本体１からプリント出力が得られるというものである。
【００３８】
上記必要な情報としては、デジタルカメラＤＣとのネゴシエーションの情報や、デジタルカメラＤＣからのプリントすべき画像の情報や、撮影時または後から画像情報に付加された情報、プリントサイズや枚数やトリミング指定等のプリント制御情報等である。
【００３９】
さてここで本発明に関わる内容について更に詳細に述べる。図５はカメラ側の概略システムブロック図である。
【００４０】
５０１はカメラ装置を制御するＣＰＵ、５０２はＣＰＵ５０１の制御プログラムと表示用フォント、グラフィックスデータ、印刷用フォントデータ等が格納されているＦＬＡＳＨタイプのプログラムＲＯＭ、５０３はＣＰＵ５０１のワーク用ＤＲＡＭ、５０４は印刷状態などを記憶しておく書き換え可能なＥＥＰＲＯＭ、５０５はカメラで撮影した画像データを記憶しておくリムーバブルメディアであるＣＦ（コンパクトフラッシュメモリ）を制御する回路、５０６はそのＩ／Ｆコネクタ部、５０７はプリンタ装置との通信を行う制御回路、５０８はそのＩ／Ｆコネクタ部である。
【００４１】
また、５１０はカメラの撮像素子であるＣＣＤ、５１１はカメラ液晶表示用ＬＣＤ、５０９はＣＣＤ５１０で得られる画像についての各種の画像処理を行うとともに、ＬＣＤ５００への画像表示用の処理を制御するＡＳＩＣである。また、５１０は、カメラ撮像素子であるＣＣＤ５１０を制御し、色処理等を行い、ＣＦメモリへＪＰＥＧファイルを生成する機能、その画像ファイルをＪＰＥＧ画像圧縮または伸張する機能、画像サイズをリサイズする機能、液晶表示装置への表示制御を行う制御回路、などを含む高機能な処理を行う。
【００４２】
図６はカメラ側の概略メモリマップである。ＣＰＵ５０１に使用されるプログラムが００００００ｈ〜０７ＦＦＦＦｈに、表示用フォントとグラフィックスデータ、それと印刷用フォントデータが０８００００ｈ〜０ＦＦＦＦＦｈに格納されている。ＣＰＵ５０１のワークＲＡＭとして２０００００ｈ〜５ＦＦＦＦＦｈが割り当てられ画像データ処理、プリンタ通信、等に使われる。また、詳細のアドレスは省略するが、Ｉ／Ｏ領域としては８０００００ｈ〜８０ＦＦＦＦｈが割り当てられている。
【００４３】
まず、カメラ側でＣＦ内に記録されているプリントしたい画像をＵＩを用いて選択する（不図示）。選択されたそれぞれの画像の印刷情報である印刷枚数と画像のパスとファイル名が全体印刷情報としてワークＲＡＭ上に展開されると同時にＥＥＰＲＯＭ５０４にも記録される。この動作を複数回繰り返して、複数の画像のプリント制御情報を全体印刷情報として記録しておくことができる。選択し終わったら、所定のプリント実行ボタン（不図示）を押す事で印刷動作が始まる。
【００４４】
図７のフローチャートを用いて動作を説明する。最初は新規印刷となるのでＳ５０１からＳ５０２の通信処理に入り、全体印刷情報を基に印刷画像のデータをプリンタ１へ転送して、プリンタからの印刷終了ステータスが返ってくるのを待つ（Ｓ５０２）。全体印刷情報で指定されている画像の印刷が１枚終了した時点でＳ５０４の処理になり、その画像に設定されているプリント枚数の情報を１減らし、Ｓ５１０で残りの枚数がゼロでなければＳ５０２へ戻り、設定されている枚数と同数の印刷が終了するまで、同一画像の印刷を繰り返す。Ｓ５１０で印刷すべき枚数がゼロならばＳ５１１において印刷した画像のプリント制御情報である印刷枚数、パスとファイル名情報等をクリアする。
【００４５】
さらに、Ｓ５０３で別の印刷する画像が、印刷設定されているどうかをチェックし、印刷すべき画像が残っている場合はＳ５０２の処理へ移り設定されている画像をプリンタに取り込んで、設定されている枚数プリントを繰り返す。そして、全体印刷情報に設定されているプリントが全て完了した場合（Ｓ５０３でｙｅｓ）には、全体印刷情報をクリア（Ｓ５０５）して印刷処理を終了する。なお、印刷画像に関する全体印刷情報である印刷枚数、パスとファイル名に対して修正を加えた場合は、同時にＥＥＰＲＯＭ５０４のデータも同じように修正される。
【００４６】
ところが、この複数枚の印刷動作中にカメラ側のバッテリの能力が落ち、印刷が不可能となった場合には、カメラのバッテリを交換して電源を立ち上げる必要がある。例えば、前述のような全体印刷設定に従った印刷途中で、カメラの電源能力が低下し、所定電圧以下の出力しか得られなくなった場合には、印刷を中断し、印刷設定情報のうち、それまでに印刷が完了した所が分かるような中断情報を、カメラ側のＥＥＰＲＯＭ５０４に記録するようになっている。なお、上述の印刷設定情報やこの中断情報を、画像の記録されている装置に挿脱可能なメモリカード（ＣＦ）に記録するようにしてもよい。なお、中断情報は、電源能力に関係なく１枚の画像の印刷が終了するたびに更新して記録するようにしても良い。しかし、電源能力が落ちて来て、もうすぐ中断しそうになることが認識できるならば、その認識がなされた後から、１枚の印刷が終了するたびに、中断情報を更新して記録するようにしても良い。また、中断情報の記録場所は、メモリカードのみならず、プリンタ側に設置するメモリに記録しても良い。また、カメラ側のメモリとプリンタ側のメモリの両方に中断情報を記録しても良い。この場合には、プリント中断の前後で、中断情報や全体印刷情報が変更されたかどうかをチェックするのに役立つ。
【００４７】
一方、プリンタ１側は、印刷データ受信中にデータがこなくなった場合はエラーとして処理を中断し、所定の復帰処理を行った後にプリントできる状態となってウェイト状態となっている。ここで、電源を交換しまたは、ＡＣ電源などに切り換えて、カメラの電源を立ち上げたあと、再度、所定のプリント実行ボタンを押して印刷動作に入る。そしてＳ５０１で、ＥＥＰＲＯＭ５０４に、中断情報が記録されていることを認識することにおうじて、印刷途中であることを認識し、Ｓ５０６の処理に自動的に入り、印刷を続きから行うように選択される。なお、このＳ５０１で、印刷途中であることを認識した場合に、ユーザに印刷制御情報に従ったプリントを最初からやり直すかどうかを選択させても良い。
【００４８】
処理Ｓ５０７であらかじめＥＥＰＲＯＭ５０４に記録されている全体印刷情報をチェックし、もし、ＣＦが抜かれていたり、ＣＦの記録内容が変っていたり、ＣＦ内の画像データが消去されている等の理由により、ファイル情報を基にアクセスするファイルが無い場合はユーザに対してＣＦをチェックする指示Ｓ５０９を出して再開処理を行わずに印刷処理から抜ける。印刷中断前と同じＣＦであり、全体印刷情報も変更されていないと判断できる時は処理Ｓ５０２の印刷処理に入り、上記処理を印刷が終了するまで繰り返す。なお、上記のチェックは、プリント中断前に、印刷制御情報のコピーをプリンタ側のメモリに記録しておいたり、メモリカードのＦＡＴの情報をプリンタ側のメモリにコピーしておくなどの処理をしておき、西海持にこれらのコピーとの照合を行うことで実現される。しかし、チェックの方法はこれに限らない。
【００４９】
また、通常はユーザがどのＣＦの画像データを印刷しようとしているかは分かっているので、必ずしも処理Ｓ５０７は必要ないが、有った方がよい。さらに、印刷情報を記録するＥＥＰＲＯＭ５０４の代わりに、ＦＬＡＳＨタイプのＲＯＭ５０２に書き込んで使うことも可能である。
【００５０】
＜第二の実施例＞
図７から図８を用いて第二実施例について説明する。なお、第一の実施例の動作図に示す処理と同一の動作を行う個所については同一の符号をつけ、説明は省略する。
【００５１】
まず、カメラ側でＣＦ内に記録されているプリントしたい画像をＵＩを用いて選択する（不図示）。選択された画像の印刷情報である印刷枚数とそれぞれの画像のパスとファイル名がワークＲＡＭ上に展開されると同時にＥＥＰＲＯＭ５０４にも記録される。この動作を複数回繰り返して、複数の画像のプリント制御情報を全体印刷情報として記録しておくことができる。さらに、ＣＦに記録されているファイル情報もＥＥＰＲＯＭ５０４にも記録される。選択し終わったら、所定のプリント実行ボタン（不図示）を押す事で印刷動作が始まる。
【００５２】
以下は、第１実施例の図７のフローチャートと同様にプリント動作が実行される。ところが、この複数枚の印刷動作中にカメラ側のバッテリが切れ、印刷が不可能となった場合には、電池交換やＡＣ電源に切り替えるなどの処置を行って、電源を立ち上げる必要がある。一方、プリンタ１側は、印刷データ受信中にデータがこなくなった場合はエラーとして処理を中断し、所定の処理を行った後にプリントできる状態となってウェイト状態となっている。ここで、電池交換やＡＣ電源に切り替えるなどの処置を行って、カメラの電源を立ち上げた時の動作を図８を用いて説明する。電源が立ち上がった時点で自動的にプリンタ１との接続が確認し、接続が確認された場合は次の処理に入る。処理Ｓ５３１で、すでにＥＥＰＲＯＭ５０４に記録されている全体印刷情報、および中断情報から印刷処理が残っていると判断した場合は、処理Ｓ５０１に入る。その後は、実施例１と同じ処理となる。
【００５３】
このように、電池がなくなった場合には，速やかに電池交換やＡＣ電源に切り替えるなどの処置を行うことが予想され、このような処置の後には印刷を継続したいと思っていることが普通であろうから、スムーズに印刷に復帰できる本実施例は使い勝手が向上する。
【００５４】
なお、中断情報中に中断した時点での時間を記録しておき、復帰時にこれを参照し、中断したときの時間から所定時間以内に復帰した場合に、第２実施例を適用するようにしても、さらに好適である。そしてこの場合に、印刷制御情報の中で、中断により印刷が終了していない画像の印刷から自動的に再開するようにする。なぜなら、すぐに復帰を望んだことが明確であり、このような場合には上記の実施例が好適であるからである。
【００５５】
＜第三の実施例＞
図１から図６、図９を用いて本発明の第三の実施例について説明する。なお、第一の実施例と同一の動作図に示す処理同一の動作を行う個所については同一の符号をつけ、説明は省略する。
【００５６】
まず、カメラ側でＣＦ内に記録されているプリントしたい画像をＵＩを用いて選択する（不図示）。選択された画像の印刷情報である印刷枚数とそれぞれの画像のパスとファイル名が全体印刷情報としてワークＲＡＭ上に展開されると同時にＣＦ  Ｉ／Ｆ５０６に接続されるカメラ画像を記録するＣＦメモリのルートディレクトリに印刷情報ファイルとして記録される。
【００５７】
選択し終わったら、所定のプリント実行ボタン（不図示）を押す事で印刷動作が始まる。図９のフローチャートを用いて動作を説明する。印刷動作が始まると、Ｓ５４１で全体印刷情報を読み取り、全体印刷情報に基づき、Ｓ５４４の通信処理に入り、プリンタ１へデータを転送して、プリンタからの印刷終了ステータスが返ってくるのを待つ。（はじめは、中断情報が記録されていないので、Ｓ５４２で印刷の残りがないと判断され、Ｓ５４４へ移行する。）印刷が１枚終了した時点でＳ５４５、Ｓ５４６の処理を経て、まだ印刷をする場合はＳ５４５の処理に移り、そうでない場合は印刷した画像の情報を全体印刷情報からクリアする処理Ｓ５４７を行い、さらに全体印刷情報からプリントする画像が残っているかどうかを判断し、無ければＳ５４９の処理に入り、全体印刷情報をクリアして印刷処理を終了する。印刷する画像が残っている場合は処理Ｓ５４４に入り印刷を続ける。
【００５８】
印刷画像に関する全体印刷情報である印刷枚数、パスとファイル名に対して修正を加えた場合は、同時にＣＦメモリのルートディレクトリにある印刷情報も同じように修正される。
【００５９】
ところが、この複数枚の印刷動作中にカメラ側のバッテリが切れ、印刷が不可能となった場合には、カメラのバッテリを交換して電源を立ち上げる必要がある。一方、プリンタ１側は、印刷データ受信中にデータがこなくなった場合はエラーとして処理を中断し、所定の処理を行った後にプリントできる状態となってウェイト状態となっている。ここで、カメラの電源を立ち上げた時の動作を説明する。電源が立ち上がり、プリント動作を選択した場合、Ｓ５４１でＣＦメモリのルートの印刷情報ファイルを解析し、処理Ｓ５４３で続きの印刷処理が使用者によって選択された場合にＳ５４４以下の印刷処理に入り、設定枚数の印刷が終了するまで繰り返す。
【００６０】
また、実施例二に示したように、電源が立ち上がった時点でプリンタ１との接続が確認された場合に、自動的に継続印刷処理に入る事も可能である。
【００６１】
＜第四の実施例＞
図１０から図１３において本発明の第四の実施例について説明する。なお第一の実施例と同一の動作を行う個所については同一の符号をつけ、説明は省略する。本第四の実施例の装置は、デジタルカメラに一体的にプリンタ部を有していて、撮影に応じてその場ですぐにプリントを行うことが可能な装置を想定している。本装置は、プリンタ部にインクジェット記録方式を採用し、電子的な撮像を行い、得られた画像データをメモリに蓄えるとともに、任意のメモリに蓄えられた映像情報を任意なプリント枚数分プリントアウトすることが出来るものである。この装置について手順に従って説明する。
【００６２】
図１２は本発明のプリンタ付きカメラが適用されるインクジェット記録装置部ＩＪＲＡの該念図である。ここでキャリッジＨＣは駆動モーター１０１３の正転逆転に連動して駆動力伝達ギア１０１１、１０１０、１００９を介して回転するリードスクリュー１００４の螺旋溝１００５に対して係合するピン（不図示）を有し、矢印ａ、ｂ方向に往復運動される。
【００６３】
キャリッジＨＣにはインクジェットヘッドカートリッジ４００が装着される。１００３はガイド棒、１００２は紙押さえ板であり、キャリッジの移動方向にわたって紙をプラテン１０００に対して押圧する。１００７、１００８はフォトカプラーであり、キャリッジのレバー１００６のこの域での存在を確認してモーター１０１３の回転方向の切り替え等を行う為のホームポジション検知手段である。
【００６４】
１０１６は記録ヘッドの前面をキャップするキャップ部材１０２２を支持する部材、１０１５はこのキャップ内を吸引する吸引手段であり、キャップ内開口１０２３を介して記録ヘッド４００の吸引回復を行う。
【００６５】
１０１７はクリーニングブレード、１０１９はこのブレードを前後方向に移動可能にする部材であり、本体支持板１０１８にこれらは支持されている。ブレードはこの形態でなく周知のクリーニング方法が本例に適用できるのは言うまでもない。
【００６６】
また１０２１は吸引回復の吸引を開始する為のレバーであり、吸引手段の面１０１４と当接する。レバー１０２１はキャリッジと係合するカム１０２０の移動に伴って移動し、駆動モーターからの駆動力がクラッチ切り替え等の公知の伝達手段で移動制御される。これらのキャッピング、クリーニング、吸引回復はキャリッジＨＣがホームポジション側領域に位置づけられた時にリードスクリュー１００５の作用によってそれらの対応位置で所望の処理が行える様に構成されているが、周知のタイミングで所望の動作を行う様にすれば、本例にはいずれにも適用できる。また、画像送りボタン１１０、画像戻りボタン１０９は、プリントしたい画像を選択したり、再生したい画像を選択したりする場合に用いられ、表示手段５１１に表示される画像を切り換える時に使用される。
【００６７】
図１３は本発明のプリンタ付きカメラの中央断面の概念図である。カメラ部は沈胴型の２段式の鏡筒１０２９、１０３０について各々撮影光学系のレンズユニット１０２８ａ及び１０２８ｂが配置されている。１０３１は撮影光束を制御すると共に、露光量の制御を兼用する絞りユニットであり、同じく鏡筒１０２９に配置されている。１０３２は鏡筒１０３０を回動させるヘリコイド部材であり、鏡筒１０３０のカム凸部１０３０ａと係合している。該ヘリコイド部材１０３２は不図示のヘリコイド駆動モーターによって駆動される。上記した撮影光学系１０２８ａ及び１０２８ｂならびにシャッターユニット１０３１を通った光束は固体撮像素子１０４０上に結像する。
【００６８】
１０３７ａ、１０３７ｂ、１０３７ｃ、１０３８ｄ、１０３９ｅはファインダーを構成する光学系レンズである。これらのうち１０３７ｂ、１０３７ｃ、１０３８ｄは撮影光学系の画角調整（ズーム操作）に伴って移動し、撮影光学系の画角と略同じ画角を確認する事ができる。この光学式ファインダーは画像表示用の液晶表示板２０１４を用いる事で電力が消費されるのを防ぐ時等に有効である。該絞りユニット１０３１は固体撮像素子（ＣＣＤ）１０４０の露出量をフィードバック制御によって適正に保つ様に駆動される。
【００６９】
撮像された信号は、画像処理基板１０２６で処理される。処理された信号はプリンタ制御基板１０２７へ送出されプリンタ部のインクジェットヘッドカートリッジ４００の位置制御信号等の情報と合わせて印刷動作に必要な駆動モーター等へ伝達される。プリント動作はプリントボタン２０１３によって開始され、ロール状に巻かれたプリンタ用紙１０２４からプラテン１０００を介してプリント用紙１０２４ｂェ引き出され印刷される。１０４１は外装カバーで形成された紙カッター部であり、印刷後のプリント用紙１０２４ａを切り離すのに用いられる。１０２５は電源である。
【００７０】
まず基本的な撮影とプリントに関わるフローを説明する。図１０は本プリンタ付き撮影装置の概略ブロック図、図１１は基本フローチャートである。なお、第１１図を用いて説明するプリント動作は、全体印刷情報に従って、複数の画像を自動的にプリントするものではなく、選択的に表示している画像のその場で印刷する場合を想定している。撮影者が電源スイッチ２０００を入力すると（Ｓ２００１）、ＣＰＵ５０１は該装置が前回使用されて、電源がオフされてから所定時間以上（ここでは７２時間以上とするが、これに限らない。）経過しているか否かを判断する。（Ｓ２００２）もしも７２時間以上経過している場合には、ＣＰＵ５０１はプリンタ部の制御を受け持つプリンタＡＳＩＣ５１５に回復ポンピングの指示を出してプリンタ部４を駆動する。（Ｓ２００３）ここで回復ポンピングは、後述するインクジェット記録方式の装置においてより記録を有効にするものであって、用紙への記録を行う事前に記録ヘッドを吸引ポンプ等の手段によってクリーニングするものである。このクリーニングの目安として本実施例においては７２時間以上の未使用期間があった場合の電源入力時にこれを行うものとした。
【００７１】
さて撮影者が撮影を行う場合、撮影者は撮影モード設定手段５１７を用いて撮影モードの設定を行う（Ｓ２００４）。本実施例では通常の撮影モードと、ポートレートモード等の数種類のモードを有し、撮影モード設定手段５１７は具体的にはモード切換えスイッチ２０１５にて行われこの信号がＣＰＵ５０１に伝わる。撮影者が撮影に際してズームレバー２０１６による画角の調整後、ＳＷ５１８（図１２のシャッターボタン２０１２に相当する）を第一ストロークまで押し込むと、ＳＷ１信号が入力される（Ｓ２００５）。ＣＰＵ５０１は撮像制御部としてのＡＳＩＣ５０９を介して撮像部５１０を駆動し、露出制御値の決定や、測距情報の決定、ストロボ発光の有無等露出動作に必要な諸条件の決定を行う（Ｓ２００６）。撮影者が実際に撮影を実行する為にＳＷ５１８（図１２のシャッターボタン２０１２に相当する）を更に押し込むと、ＣＰＵ５０１にはＳＷ２信号が入力する（Ｓ２００７）。ＣＰＵ５０１は撮像制御部としてのＡＳＩＣ５０９を介して撮像部５１０を駆動して焦点合わせの為のレンズ駆動や、シャッターの速度制御、絞りの開口量制御また必要であれば、ストロボの発光等の一連の露光動作を行い（Ｓ２００８）、固体撮像素子１０４０に入力する画像情報を一時保存メモリ手段としてのＲＡＭ５０３に取り込む（Ｓ２００９）。その後ＣＰＵ５０１は表示手段５１１、具体的には図１３の液晶表示板２０１４を駆動して撮影された画像情報を表示する（Ｓ２０１０）。撮影動作としては、以上を繰り返すことになる。
【００７２】
さて使用者がプリント出力を所望した場合には、プリント出力のモード設定をモード設定手段５１７によって行う（Ｓ２０１１）。次にメモリ手段５０３に取り込まれた画像情報を画像送りボタン１１０、画像戻りボタン１０９によって液晶表示板２０１４を見ながら検索してプリント出力したい画像情報を表示する。ここでプリントボタン２０１３を押すと、プリント信号ＰＲが入力され、ＣＰＵ５０１はプリント動作を開始する（Ｓ２０１２）。プリンタ制御部５１５は記録ヘッド４００のホームポジション位置でプリント動作をより有効にする為にまず予備吐出を行い、記録ヘッド４００の目詰まりを解消したり、蒸発しているノズルの回復等を行う（Ｓ２０１３）。次にプリンタ制御部５１５はメモリ手段５０３に蓄えられた映像情報をプリンタ出力用の画像処理を加えた上でプリンタエンジン部５１６から出力する（Ｓ２０１４）。プリンタエンジン部５１６でプリントされた印画済みプリンタ用紙１０２４ａはロール状に巻かれたプリント用紙１０２４と切り離される位置まで自動的に給紙され、排出される（Ｓ２０１５）。
【００７３】
さてここで本発明に関わる内容について更に詳細に述べる。
【００７４】
まず、カメラ側でＣＦ内に記録されているプリントしたい画像をＵＩを用いて選択する（不図示）。選択された画像の印刷情報である印刷枚数とそれぞれの画像のパスとファイル名が全体印刷情報としてワークＲＡＭ上に展開されると同時にＥＥＰＲＯＭ５０４にも記録される。この動作を複数回繰り返して、複数の画像のプリント制御情報を全体印刷情報として記録しておくことができる。選択し終わったら、所定のプリント実行ボタン（不図示）を押す事で印刷動作が始まる。
【００７５】
図１４のフローチャートを用いて動作を説明する。最初は新規印刷となるのでＳ５７１からプリンタ部との通信処理Ｓ５７２に入り、データを転送して、印刷終了を待つ。印刷が１枚終了した時点でＳ５７４の処理になり現在の印刷枚数を１減らし、Ｓ５８０で残りの枚数がゼロでなければＳ５７２へ戻り、ゼロならばＳ５８１で印刷していた画像の印刷情報である印刷枚数、パスとファイル名情報をクリアする。さらに、Ｓ５７３で全体印刷情報から印刷する画像が残っているかどうかをチェックし、印刷画像が残っている場合はＳ５７２の処理へ移り、残っていない場合は全体印刷情報をクリアＳ５７５して印刷処理を終了する。印刷画像に関する全体印刷情報である印刷枚数、パスとファイル名に対して修正を加えた場合は、同時にＥＥＰＲＯＭ５０４のデータも同じように修正される。
【００７６】
ところが、この複数枚の印刷動作中にカメラのバッテリの能力が落ち、印刷が不可能となった場合には、カメラのバッテリを交換して電源を立ち上げる必要がある。バッテリ交換後、プリンタ部は、所定の処理を行った後にプリントできる状態となってウェイト状態となっている。ここで、再度、所定のプリント実行ボタンを押して印刷動作に入る。カメラＵＩ（不図示）により、Ｓ５７１、Ｓ５７６の処理に入り、印刷を続きから行うを選択する。処理Ｓ５７７であらかじめＥＥＰＲＯＭ５０４に記録されているファイル情報をチェックし、同じＣＦであると判断できる時は処理Ｓ５７２に入り、印刷枚数、パスとファイル名情報をチェックして印刷処理に入り、設定枚数の印刷が終了するまで繰り返す。
【００７７】
また、通常はユーザがどのＣＦの画像データを印刷使用としているかは分かっているので、特に、処理Ｓ５０７が無くても問題はない。さらに、印刷情報を記録するＥＥＰＲＯＭ５０４の代わりに、ＦＬＡＳＨタイプのＲＯＭ５０２に書き込んで使うことも可能であり、実施例二に示したように、電源が立ち上がった時点で継続印刷処理に入る事も可能である。
【００７８】
本発明は、特にインクジェット記録方式の中でもインク吐出を行わせる為に利用されるエネルギーとして熱エネルギーを発生する手段（たとえば電気熱変換体やレーザー光等）を備え、前記熱エネルギーによりインクの状態変化を生起させる方式の記録ヘッド、記録装置において優れた効果をもたらすものである。その代表的な構成や原理については、例えば、米国特許第４７２３１２９号明細書、同第４７４０７９６号明細書に開示されている基本的な原理を用いて行うのものが好ましい。この方式は特にオンデマンド型の場合には、液体（インク）が保持されているシートや液路に対して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰させて、結果的にこの駆動信号に一対一対応し液体（インク）内の気泡を形成出来るので有効である。この気泡の成長、収縮により、吐出用開口を介して液体（インク）を吐出させて少なくとも一つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書、同第４３４５２６２号明細書に記載されている様なものが適している。尚、上記熱作用面の温度上昇率に関する発明の米国特許第４３１３１２４号明細書に記載されている条件を採用すると、更に優れた記録を行うことが出来る。
【００７９】
記録ヘッドの構成としては、上述の各明細書に開示されているような吐出口、液路、電気熱変換体の組み合わせ構成（直線状液路又は直角液流路）の他に熱作用部が屈曲する領域に配置されている構成を開示する米国特許第４５５８３３３号明細書、米国特許４４５９６００号明細書を用いた構成も本発明に含まれるものである。加えて、複数の電気熱変換体に対して、共通するスリットを電気熱変換体の吐出部とする構成を開示する特開昭５９年第１２３６７０号公報や、熱エネルギーの圧力波を吸収する開孔を吐出部に対応させる構成を開示する特開昭５９年第１３８４６１号公報に基づいた構成としても本発明は有効である。
【００８０】
更に記録装置部が記録できる最大記録媒体の幅に対応した長さを有するフルラインタイプの記録ヘッドとしては、上述した明細書に開示されている様な複数記録ヘッドの組み合わせによってその長さを満たす構成や、一体的に形成された一個の記録ヘッドとしての構成のいずれかでもよいが、これらの構成をとることで本発明をいっそう有効に発揮することができる。加えて、装置本体に装着されることで、装置本体との電気的な接続や装置本体からのインクの供給が可能になる交換自在のチップタンクの記録ヘッド、あるいは記録ヘッド自体に一体的に設けられたカートリッジタイプの記録ヘッドを用いた場合にも本発明は有効である。又、本発明の記録装置部の構成として設けられている、記録ヘッドに対しての回復手段、予備的な補助手段等を付加することは、本発明の効果をいっそう安定できるので好ましいものである。
【００８１】
これらを具体的に挙げれば、記録ヘッドに対しての、キャッピング手段、クリーニング手段、加圧あるいは吸引手段、電気熱変換体あるいはこれとは別の加熱素子あるいはこれらの組み合わせによる予備加熱手段、記録とは別に吐出を行う予備吐出モードを行うことも安定した記録を行う為に有効である。更に記録装置部の記録モードとしては、黒色等の主流色のみの記録だけではなく、記録ヘッドを一体的に構成するか複数個の組み合わせによってでも良いが、異なる色の複色カラー又は混色によるフルカラーの少なくとも一つを備えた装置であることが極めて有効になる。
【００８２】
以上のような、プリンタとデジタルスチルカメラを同一きょう体の構成とし、電池駆動させることにより、電子画像をいつでもどこでも印刷することが出来る反面、電池駆動ゆえに印刷途中に電池がなくなり中断しやすいので、本発明を適用することが望ましい。特に単にプリンタのみの構成を電池駆動する場合に比べて、撮影に用いる電力も必要となり、電力消費の激しい構成なので、本発明の適用が望ましい。
【００８３】
＜第五の実施例＞
図１５から図２０を用いて本発明におけるプリントシステムの実施例を詳細に説明する。図１５は本発明におけるプリントシステムの構成を表すブロック図である。撮影済みの画像データはＣＦ３１０１に記録されている。ユーザはＧＵＩ操作部３１１０を操作することで各種の操作を行なう。ＧＵＩ操作部３１１０はＧＵＩ制御部３１０７に接続され、ＧＵＩ制御部３１０７は状況に応じてユーザの操作を解釈し、バス３１０４を通して各部にコマンドを送り、ユーザの要求を実現する。
【００８４】
記録された画像をプリントするためにはプリントする画像を選択し、プリント枚数を指定する。具体的にはユーザはＧＵＩ操作部３１１０を操作し、画像選択画面を表示する。この時ユーザの操作がＧＵＩ操作部３１０７によって解釈され、ＧＵＩ操作部３１０７は画像選択部３１０６に画像表示命令を出す。画像選択部３１０６は現在選択されている画像データを読み出すためにＩＯ制御部３１０２に指示を出す。ＩＯ制御部３１０２は指定された画像のデータをＣＦ３１０１から読み出し、バス３１０４を通して表示部３１０８に画像データを送る。表示部３１０８は送られた画像データを表示する。
【００８５】
ユーザはＧＵＩ操作部３１０７で画面の表示形式を選択することができる。一枚の画像を表示部３１０８のほぼ全体を使って表示する形式と、縮小画像を複数枚まとめて表示部３１０８に同時に表示する形式がある。複数枚を一度に表示する形式が選択されていた場合には画像選択部３１０６は必要な分の画像データをＩＯ制御部３１０２に要汲オ、必要な分の画像データを表示部３１０８に送る。
【００８６】
ユーザは表示部３１０８に表示された画像を見ながらプリントする画像を選択する。表示中の画像をプリントするならばＧＵＩ操作部３１１０の選択ボタンを押し、続けて枚数を指定する。次の画像を選択するためにはＧＵＩ操作部３１１０の画像送りボタンを押し、次の画像を表示し、必要なだけ同様の操作を繰り返す。画像の選択が終了したら、ＧＵＩ操作部３１１０の選択終了ボタンを押すことにより、画像選択操作は終了し、選択画像のファイル名、枚数などを記した１６図のプリント指定ファイルがＣＦ３１０１に保存される。
【００８７】
図１６は本発明におけるプリントシステムのプリント指定ファイルである。プリント指定ファイルはテキスト文字列で構成され、異なる機器で作成されたプリント指定ファイルでも扱うことができるように考慮されている。プリント指定ファイルは文頭から改行文字までを一行とし、一行を１レコードとして扱う。複数のレコードでセクションを構成し、複数のセクションでプリント指定ファイルは構成される。３２０１は１つのプリント指定ファイル中でひとつだけ存在を許されるヘッダセクションの始まりを示す文字列である。ヘッダセクションには３２０２で示されるとおり、このプリント指定ファイルの作成日時が記されている。３２０３はジョブセクションの始まりを示す文字列である。ジョブセクションには３２０４のジョブＩＤ、３２０５のプリントタイプ、３２０６のプリント枚数、３２０７の画像ファイル名がそれぞれ記されている。プリントが指定された画像ごとにジョブセクションがひとつ構成され、複数のジョブセクションが必要な分だけ繰り返される。
【００８８】
図１９はプリントを開始または再開するための画面である。ユーザがプリント指定を終えた後にＧＵＩ操作部３１１０においてプリントボタンを押すと図１９に示すような画面が表示部３１０８に表示される。ここでＧＵＩ操作部３１１０のカーソルキーを操作して「ＯＫ」を選択し、ＧＵＩ操作部３１１０の決定ボタンを押すとＧＵＩ制御部３１０７にてプリント命令が発行され、画像選択部３１０６はＩＯ制御部３１０２を通してＣＦ３１０１から図１６のようなプリント指定ファイルを読み出す。続いて読み出されたプリント指定ファイルを解析し、指定された画像ファイル名とプリント枚数を得る。画像選択部３１０６は指定された画像ファイルをＣＦ３１０１からＩＯ制御部３１０２を通して読出し、印刷データ生成部３１０５にプリント枚数とともに送る。印刷データ生成部３１０５は送られた画像データから印刷データを生成し、通信部３１０９を通してプリンタに送る。指示されたプリント枚数が複数であるならばその枚数分繰り返し印刷データをプリンタに送信する。これをプリント指定ファイルに記された全てのジョブセクションに対して行なう。
【００８９】
図１７は本発明におけるプリントシステムのプリント状況を示すデータ構成図である。このデータブロックは図１６に示すプリント指定ファイルに対応して１つ作成され、プリント指定ファイルと同様にＣＦ３１０１に保存される。３３０１から３３０６の各データは４バイトのデータ長を持つ。
３３０１はこのデータブロック全体の有効性を示すフラグでここに０ではない値が入っているときにはこのデータは正当なものであり、０が入っているときには３３０２から３３０６のデータは意味のないものとして扱われる。新規にプリントを開始したときには必ず０ではない値が格納され、プリント指定ファイルに指定された全てのジョブに対するプリントが正常に終了したときには０が格納される。
３３０２は図１６のプリント指定ファイルの３２０２で示されるファイル作成日時が格納される。
３３０３はプリント指定ファイルのファイルサイズが格納される。
３３０４はプリント指定ファイルに存在するジョブセクションの数が格納される。
３３０５はプリント指定ファイルに存在する全てのジョブセクションのプリント枚数の総和が格納される。
３３０２から３３０５の各データは３３０１のフラグが０の状態でプリントが始まったときに更新される。
３３０６はそのときに実行中のプリントにおいてすでに終わっているプリント数を格納する。ただし、そのときに実行中のプリントが途中から再開されたのもであるときにはプリント指定ファイルの１枚目から数えて何枚目のプリントまでが終了しているかを表す。
３３０６のデータは一枚のプリントを終了するごとに更新される。
【００９０】
図１８は本発明におけるプリントシステムのプリント再開処理の流れを示すフローチャートである。
３４０１において図１７で示すようなプリント状況データがＣＦ３１０１に存在すれば読み出す。存在しなければ新たに作成する。新たに作成した場合には再開すべきプリントジョブはなかったものとして扱う。
また、プリント指定ファイルも同時に読み出し、各ジョブセクションで指定されている画像ファイルがＣＦ３１０１に存在しているかを調べる。もし、存在していない画像ファイルがあった場合にはそのジョブセクションを消去する。この場合にはファイルの作成日時とジョブの数、トータルプリント数が異なるため、３４０２における再開ジョブのチェックにかかることになる。
３４０２において３４０１で読み出したプリント状況データの正当性を調べる。３４０１においてプリント状況データが存在せず、新規にデータを作成した場合には再開ジョブはなかったものとして扱う。３４０１においてプリント状況データを読み出せたならば３１０３データ比較部によってその内容をチェックする。ここでは単に３３０１のフラグが０ではないかをチェックするだけではなく、ＣＦ３１０１からプリント指定ファイルを読み出し、プリント指定ファイルの作成日時、ファイルサイズ、ジョブの数、トータルプリント数の全ての項目をプリント状況データとして格納されていた値と比較する。そのいずれかひとつでも違いがあれば正当なプリント再開ができないとして読み出したプリント状況データは破棄し、プリント再開は許可せず、全てのプリントを最初からはじめることしかできない。プリントを中断してから再開するまでの間にプリント設定をやり直したり、プリント指定されていた画像ファイルを消去するなどした場合には保存されていたプリント状況データと食い違うデータが検出されるので再開すべきプリントジョブはなかったものとして扱われる。
【００９１】
こうする事によってプリントを中断してから再開するまでの間にプリント指定をやり直す、プリント指定されていたファイルを消去するなどの操作が行なうことに柔軟に対応することが出来、中断の前後においてデータの変更等が行われていた場合にはプリントの再開をさせないことにより、ユーザの意図しないプリントが、勝手に行なわれるのを防ぐことが出来る。
【００９２】
プリント指定がプリント中断中に変更されていないかを調べる方法としてプリントを新規に開始するときにプリント指定ファイルを複製し、カメラやプリンタに保存してプリント再開時に複製保存しているプリント指定ファイルと比較し、同一のものであればプリントの再開を許可するという方法でも良い。ただし、プリント指定する画像の数が多くなると、それにつれてプリント指定ファイルのサイズも大きくなり、複製保存では必要な記憶領域も増大してしまう上に、ファイルを比較するための処理時間も長くなってしまう。必要な記憶領域が大きくなると記憶領域が不足してプリント再開に必要な情報を保存できなくなり、プリント再開ができなくなることありえる。本実施例の方法によれば記憶する情報量は一定でプリント指定ファイルのサイズより小さいため必要な記憶領域も少なくてすみ、データ比較処理にかかる時間も短くてすむという利点がある。
３４０２において再開ジョブなしと判定されたら図１９の「再開」ボタンは表示されず、ユーザはプリントの再開を選択することはできない。
３４０２において再開ジョブありと判定されたら図１９の「再開」を表示するとともに、カーソルは「再開」を選択状態としている。これにより使用者が「ＳＥＴボタン」等により１回の入力を行うだけで、プリントの再開が選択可能になり、再開時の操作がスムーズである。
【００９３】
これは、単にスムーズに操作できると言うだけでなく、間違えて再開をしなかったばかりに，印刷を最初から行うことになってしまうことも防止することが出来る。つまり、「再開」を選択するという操作を少しでも省くことにより、たとえば「キャンセル」を選択してしまうなどの操作間違いを減少させることが出来るからである。
【００９４】
ユーザがＧＵＩ操作部３１１０によって「再開」を選択実行すると３４０３において再開すべきジョブセクションの検索を行う。３３０６に前回までのプリントジョブによってすでにプリントされている枚数が格納されているので、図１６プリント指定ファイルのジョブセクションをファイルの先頭から検索していき、ジョブセクションごとのプリント指定枚数を加算していき、３３０６に格納されているプリント済み枚数と比較し、再開すべきジョブセクションを決定する。
【００９５】
前回のプリント処理の中断があるジョブセクションのプリント実行中の途中で中断された場合にはプリント済みの枚数とジョブセクションごとのプリント指定枚数の和が一致することはない。その場合にはジョブセクションごとのプリント指定枚数の和がはじめてプリント済み枚数を超えたときのジョブセクションをカレントジョブセクションとし、そのジョブセクションの前のジョブセクションまでのプリント指定枚数の総和とプリント済み枚数の差がカレントジョブセクションでのプリント済み枚数となるので、３４０５においてカレントジョブセクションのプリント指定枚数からその値を減算し、カレントジョブセクションにおける今回のプリント枚数を決定する。この時点でプリント指定ファイル上でのプリントジョブを再開するポイントが決定されたことになる。プリントジョブを再開するポイントが決定したら３４０６においてプリントを行う。カレントジョブセクションから画像ファイル名を読み出し、図１５および図１６を用いてすでに詳述したようにプリンタに印刷データを送信し、プリントを実行する。一枚のプリントが完了したら３４０７においてプリント中断指示が発行されているかチェックする。
【００９６】
プリント実行中は図２０に示すようなプリント実行中画面が表示部３１０８に表示されている。ユーザはＧＵＩ操作部での操作によって「中止」ボタンを選択し、決定ボタンを押すことによってプリントを中断することができる。
【００９７】
プリント中断指示はユーザがＧＵＩ操作部３１１０においてプリント中断ボタンを押した場合と、本プリントシステムがバッテリで駆動されている場合に、バッテリチェックでプリントを継続するだけのバッテリ残量がないと判断された場合にシステムから発行される。プリント中断指示が一枚分のプリントが終了するまで遅延されるのは一枚のプリント中にプリントを中断するとそのプリントは未完のまま終了することになり、プリント用紙およびインクの無駄が発生するのでそれを回避するためである。なお、電池の能力が急激に低下した場合等により、どうしても１枚分の印刷が終了する前に中断しそうな場合には、その用紙の排出を優先的に行って、印刷途中で用紙がプリンタ中に停止してしまうことを防止するようにしたほうが良い。特に上記の説明で用いた熱転写記録方式のプリンタでは、熱昇華性インクやオーバーコートを、用紙に圧接させているために、印刷途中で中断してしまうと、インクと用紙が引っ付いて、取れなくなってしまう恐れがある。これは装置の故障の原因になるし、インクフィルムを使えなくしてしまう。
【００９８】
３４０７においてプリント中断指示がなかったと判定されたならばプリントを継続する。３４０８にてカレントジョブセクションで実行すべきプリント枚数分プリントしたかチェックする。つまり、同一画像をさらにプリントすべきかを判断する。同一画像でのプリントがまだ終わっていなければ３４０６に戻り、同様の処理によってプリントを繰り返す。
【００９９】
３４０８にて同一画像のプリントがすでに終了したと判断されたら３４０９にて次のジョブセクションを読み込む。図１６のプリント指定ファイル上でカレントジョブセクションの次に記載されているジョブセクションを新しいカレントジョブセクションとする。新しいカレントジョブセクションを読み込むことができたならば次のプリントジョブが存在することになるので３４１０にてプリント処理を継続すべきであると判断して３４０６に戻り、プリント処理を継続する。新しいカレントジョブセクションで複数枚のプリントが指定されていれば３４０６、３４０７、３４０８の処理を必要な回数繰り返す。
【０１００】
３４１０にて次のジョブがないと判断されら、３４１１にてプリント状況データを更新し、ＣＦ３１０１に保存してプリント処理を終了する。３４１０を経由して３４１１に至った場合にはプリント指定ファイルに指定されたプリントジョブは全て終了しているので次回に対する再開ジョブは存在しない。そのためプリント状況データの３３０１のフラグを０にしてそれ以外のデータを無効にすればよいので３３０１のフラグを０にするだけでそれ以外のデータを更新する必要はない。
【０１０１】
プリント処理実行中に３４０７においてプリント中断指示を検出した場合には次のプリントを開始せず、３４１１にてプリント状況データを更新する。このときプリント済み枚数と３３０５のトータルプリント数が一致していれば全てのプリントが完了していることになるので３３０１のフラグを０にセットし、それ以外のデータは更新せず、プリント状況データをＣＦ３１０１に保存してプリント処理を終了する。
【０１０２】
全てのプリントが完了していない場合には図１７プリント状況データの３３０１のフラグを０以外にセットし、３３０６プリント済み数に現在までのプリント済みの枚数を格納し、プリント状況データをＣＦ３１０１に保存してプリント処理を終了する。３４０２において再開ジョブがないと判断された場合には３４０４にて図１６プリント指定データを最初から読み、最初のジョブセクションをカレントジョブとして３４０６からプリントを開始する。この後は再開ジョブが存在するときと処理は同じである。
【０１０３】
なお、本発明においては、複数の画像をプリントするための印刷制御情報に複数のジョブが記載されている場合に特に有効である。なぜなら、同一種類の画像を複数枚印刷する場合に比べて、特に圧縮記録している画像を複数回展開する必要があるので、より電力消費が大きく、印刷の中断になりやすいからである。また、本発明は、電力の消耗に起因する印刷の中断に限るものではなく、印刷用紙の不足や、結露や発熱などの印刷条件の悪化に起因する中断にも適用可能である。
【０１０４】
また、上述の実施例においては、電池が低電圧となった場合に中断情報を、カメラ内のＲＡＭやメモリカードに記録するようにしていたが、これに限るものではない。たとえば、１枚の画像の印刷が終了するたびに、それまでに終了した設定内容を記録するようにしても良い。なぜなら、寒いときや電池性能自体が劣化してしまっている場合には、突然電圧が低下することがあり、このような場合には、１枚の画像の印刷が終了するたびに記録した方が、確実に中断情報を残すことが出来るからである。
【０１０５】
なお、上記の実施例においてカメラとプリンタとを、電力線を有するケーブルで接続した場合には、特に本発明は有効である。なぜなら、電力線を有するゆえに、一方の機器の電力を使用して、過剰に電池を消耗してしまうという形態にも柔軟に対応可能であるからである。なお、本発明を適用するプリンタの種類はインクジェット方式のプリンタでも良いし、電子写真方式のレーザービームプリンタでも良い。
【０１０６】
なお、本発明は複数の機器（たとえばホストコンピュータ、インタフェース機器、リーダ、プリンタ等）から構成されるシステムに適用しても、または一つの機器（たとえば複写機、ファクシミリ装置）からなる装置に適用してもよい。
【０１０７】
また前述した実施形態の機能を実現する様に各種のデバイスを動作させる様に該各種デバイスと接続された装置あるいはシステム内のコンピュータに、前記実施形態機能を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本願発明の範疇に含まれる。
【０１０８】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【０１０９】
かかるプログラムコードを格納する記憶媒体としては例えばフロッピーディスク、ハードディスク、光ディスク、光磁気ディスク、ＣＤ−ＲＯＭ、磁気テープ、不揮発性のメモリカード、ＲＯＭ等を用いることが出来る。
【０１１０】
またコンピュータが、供給されたプログラムコードを実行することにより、前述の実施形態の機能が実現されるだけではなく、そのプログラムコードが、コンピュータにおいて稼働しているＯＳ（オペレーティングシステム）、あるいは他のアプリケーションソフト等と共同して前述の実施形態の機能が実現される場合にもかかるプログラムコードは本願発明の実施形態に含まれることは言うまでもない。
【０１１１】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本願発明に含まれることは言うまでもない。
【０１１２】
【発明の効果】
以上説明した様に、本発明によれば、複数枚の印刷が途中で途切れた場合でも、中断情報を基に継続印刷が可能となり、プリントしていない画像データのみを選択的にプリント出力を行うことが可能となる。また、システムの立ち上げ時等に、その中断情報やプリント設定情報をチェックすることで直ぐに継続印刷モードに入ることも可能である。
【図面の簡単な説明】
【図１】第一実施例の構成模式図
【図２】第一実施例のフローチャート１
【図３】第一実施例の用紙の図
【図４】第一実施例の結線状態の図
【図５】第一実施例のカメラの概略システムブロック図
【図６】第一実施例のカメラシステムの概略メモリマップ
【図７】第一実施例の印刷時のフローチャート
【図８】第二実施例のシステム立ち上げ時の印刷フローチャート
【図９】第三実施例の印刷時のフローチャート
【図１０】第四実施例の概略システムブロック図
【図１１】第四実施例の動作フローチャート
【図１２】第四実施例の印刷時のフローチャート
【図１３】第四実施例のインクジェット記録装置部の概念図
【図１４】第四実施例の中央断面図の概念図
【図１５】本発明におけるプリントシステムの構成を表すブロック図である
【図１６】本発明におけるプリントシステムのプリント指定ファイルである
【図１７】本発明におけるプリントシステムのプリント状況を示すデータ構成図である
【図１８】本発明におけるプリントシステムのプリント再開処理の流れを示すフローチャートである
【図１９】本発明におけるプリントシステムのプリント再開を行なうための画面である
【図２０】本発明におけるプリントシステムのプリントを中断するための画面である
【符号の説明】
１  装置本体
２  用紙カセット
３  給紙ローラ
４  搬送ローラ対
５  プラテンローラ
６  サーマルヘッド
７  インクカセット
８  インクシート
９−１  排紙ローラ１
９−２  排紙ローラ２
１０  記録紙先端検出センサー
１１  ＳＷ２信号
１２  ミシン目
１３  一時保存画像メモリ手段
１４  印字情報メモリ手段
４―２  ピンチローラ
４―１  グリップローラ
１５  ガイド部
１６  余白部
１７  印画領域
１８  処理回路
１９  制御手段
２０  バネ
２１  押上げ板
２２  ヘッドアーム
２３  ヘッドカバーＡ
２４  ヘッドカバーＢ
２５  用紙搬送ガイド部
２６  排紙トレイ部
２７  ケーブル
ＤＣ  デジタルカメラ
ＤＣＬＣＤ  デジタルカメラ液晶画面
５０１  ＣＰＵ
５０２  ＲＯＭ
５０３  ＲＡＭ
５０４  ＥＥＰＲＯＭ
５０５  ＣＦ制御部
５０６  ＣＦ  Ｉ／Ｆコネクタ部
５０７  プリンタ通信制御部
５０８  プリンタＩ／Ｆコネクタ部
５０９  カメラ制御部
５１０  ＣＣＤ
５１１  ＬＣＤ
５１５  プリンタ制御部
５１６  プリンタエンジン
５１７  モード設定部
５１８  各種スイッチ部
３１０１  ＣＦ（メモリーカード）
３１０２  ＩＯ制御部
３１０３  データ比較部
３１０４  バス
３１０５  印刷データ生成部
３１０６  画像選択部
３１０７  ＧＵＩ制御部
３１０８  表示部
３１０９  通信部
３１１０  ＧＵＩ操作部
３２０１〜３２０７  プリント指定ファイルに記述される項目
３３０１〜３３０６  プリント状況データの項目
３４０１〜３４１１  処理の流れを示すフローチャートのステップ
【図１】
0003919548.tif 000002
【図２】
0003919548.tif 000003
【図３】
0003919548.tif 000004
【図４】
0003919548.tif 000005
【図５】
0003919548.tif 000006
【図６】
0003919548.tif 000007
【図７】
0003919548.tif 000008
【図８】
0003919548.tif 000009
【図９】
0003919548.tif 000010
【図１０】
0003919548.tif 000011
【図１１】
0003919548.tif 000012
【図１２】
0003919548.tif 000013
【図１３】
0003919548.tif 000014
【図１４】
0003919548.tif 000015
【図１５】
0003919548.tif 000016
【図１６】
0003919548.tif 000017
【図１７】
0003919548.tif 000018
【図１８】
0003919548.tif 000019
【図１９】
0003919548.tif 000020
【図２０】
0003919548.tif 000021